(57)【特許請求の範囲】
【請求項１】
球受皿と連通する流下通路の球供給部と、前記球供給部よりも後方の球発射装置との間に配置され、前記球受皿から前記球供給部へ流下した遊技球を１球ずつ前記球発射装置へ供給する球送り装置であって、
相対向して離間する前側の第１固定板と後側の第２固定板とを有し、前記球供給部及び前記球発射装置に対して固定される固定体と、
前記第１固定板と前記第２固定板との間に配置され、前側と後側とが開放された空洞状であって単数の遊技球を収容可能な球収容部を有し、固定体に回転自在に支持される回転体と、
遊技球を受け入れる第１回転位置と、小径の遊技球を排出する第２回転位置と、遊技球を前記球発射装置へ供給する第３回転位置と、大径の遊技球を排出する第４回転位置とを前記球収容部が順次経由するように、前記回転体を所定方向に回転駆動する駆動手段と、
第４回転位置の前記球収容部に対応して配置される大球排出手段と、を備え、
前記球収容部の内周面のうち少なくとも前記第２回転位置及び第３回転位置において底部となる領域は、後方に向かって傾斜し、
前記第１固定板は、前記第１回転位置の球収容部に対応して配置される流入孔を有し、
前記流入孔の前側は、前記流下通路の球供給部と連通し、
前記流入孔の後側は、前記第１回転位置の球収容部の前側と連通し、
前記流下通路の球供給部の遊技球は、前記流入孔と前記球収容部とが連通したときに前記流入孔を挿通して前記球収容部に収容され、
前記第２固定板は、前記第２回転位置の球収容部に対応して配置される小球排出孔と、前記第３回転位置の球収容部に対応して配置される流出孔とを有し、
前記小球排出孔の前側は、前記第２回転位置の球収容部の後側と連通し、
前記流出孔の前側は、前記第３回転位置の球収容部の後側と連通し、
前記流出孔の後側は、前記球発射装置と連通し、
前記小球排出孔は、前記球収容部と連通したときに、前記球収容部に収容された遊技球のうち基準最小径以下の遊技球の挿通を許容し、且つ基準最小径を超える遊技球の挿通を阻止する大きさに設定され、
前記流出孔は、前記球収容部と連通したときに、前記球収容部に収容された遊技球のうち基準最小径よりも大きい基準最大径以下の遊技球の挿通を許容し、且つ基準最大径を超える遊技球の挿通を阻止する大きさに設定されるとともに、挿通した遊技球を前記球発射装置へ供給し、
前記第１固定板及び第２固定板は、少なくとも前記第１回転位置から第２回転位置への移動途中と前記第２回転位置から第３回転位置への移動途中とにおいて、前記球収容部に収容された遊技球の前方及び後方への脱落を阻止し、
前記大球排出手段は、前記流出孔を挿通せずに前記球収容部に収容されたまま移動する遊技球を、前記第４回転位置の球収容部から排出する、
ことを特徴とする弾球遊技機。
【請求項２】
請求項１の弾球遊技機であって、
前記第１固定板は、前記第４回転位置の球収容部の前方を露出させる形状を有し、
前記回転体は、板状の回転板と、回転板から前方へ突出して前記球収容部を区画する筒状壁とを一体的に有し、
前記大球排出手段は、前記第４回転位置の球収容部に向かって前記第２固定板から前方へ突出する排出突起を有し、
前記回転体の筒状壁には、前記球収容部が前記第３回転位置から第４回転位置を経由して第１回転位置へ移動する際に、前記排出突起の挿通及び前記球収容部への進入を許容する突起挿通溝が形成され、
前記排出突起は、前記球収容部が前記第３回転位置から第４回転位置へ移動した際に、前記球収容部に収容された遊技球に当接して遊技球を前方へ排出する、
ことを特徴とする球弾遊技機。
【発明の詳細な説明】
【技術分野】
【０００１】
本発明は、弾球遊技機（パチンコ機）に関する。
【背景技術】
【０００２】
特許文献１には、球送り流路の底部に球選別溝部を開設し、球選別溝部の幅を正規の遊技球は通過しないが正規の遊技球よりも小さい小径球は通過する間隔に設定し、特別溝部の下方には、小径球を貯留可能な小径球貯留部と、小径球貯留部内に出没可能な球送り部材とを備え、小径球貯留部に小径球が貯留されて球送り部材に当接すると、弾発部による遊技球の弾発を規制する遊技機が記載されている。
【先行技術文献】
【特許文献】
【０００３】
【特許文献１】特開２００８−５９５２号公報
【発明の開示】
【発明が解決しようとする課題】
【０００４】
従来から、弾球遊技機の遊技者が、不正に利益を得ることを目的として、正規の遊技球よりも小径の遊技球や大径の遊技球、また、標準サイズの遊技球に接着剤などによって糸状体（例えばピアノ線）の一端が接着された遊技球（糸付き遊技球）を用いて入賞率を上げる不正行為が問題となっている。不正行為を行う遊技者は、上記遊技球を前方下部の球受皿に収容し、球送り装置及び球発射装置を介して、遊技盤の遊技領域に進入させる。遊技領域に進入した小径の遊技球は、正規の遊技球に比べて、始動入賞口に入賞し易い。また、遊技領域に進入した大径の遊技球は、遊技釘と遊技釘の間に挟まり、その上に複数の遊技球が積み重なってぶどう状の球詰まりを発生させる。不正行為を行う遊技者は、大径の遊技球を用いて、このぶどう状の球詰まりを任意の場所に発生させて、遊技球が始動入賞口に入賞し易いように、遊技球の経路を不正に操作する。また、不正行為を行う遊技者によって糸状体の他端が把持されている状態で遊技領域に進入した糸付き遊技球は、この遊技者によって、弾球遊技機の外から操作される。この遊技者は、糸状体を用いて遊技領域における糸付き遊技球を上下左右に移動させるなど操作して、スルーチャッカへの通過や始動入賞口への入賞を不正に繰り返す。
【０００５】
また、糸付き遊技球が遊技領域に進入し、不正行為に用いられた後、糸状体が遊技球から外れ、外れた糸状体が遊技者によって回収されてしまうと、糸付き遊技球を用いた不正行為の証拠が残らず、この不正行為が発覚し難いという問題があった。
【０００６】
特許文献１に記載のパチンコ機では、上記小径の遊技球を用いた不正行為を防止し、不正行為の証拠として小径の遊技球を遊技機内で確保することができるが、上記大径の遊技球及び糸付き遊技球を用いた不正行為を防止することはできない。また、糸付き遊技球を用いた不正行為の証拠を確保することもできない。
【０００７】
本発明は、上記実状に鑑みてなされたものであり、小径の遊技球、大径の遊技球及び糸付き遊技球を用いた不正行為を防止し、且つ糸付き遊技球を用いた不正行為の証拠を確保することを目的とする。
【課題を解決するための手段】
【０００８】
上記目的を達成するため、本発明の弾球遊技機は、球受皿と連通する流下通路の球供給部と、球供給部よりも後方の球発射装置との間に配置され、球受皿から球供給部へ流下した遊技球を１球ずつ球発射装置へ供給する球送り装置であって、固定体と、回転体と、駆動手段と、大球排出手段とを備える。
【０００９】
固定体は、相対向して離間する前側の第１固定板と後側の第２固定板とを有し、球供給部及び球発射装置に対して固定される。回転体は、第１固定板と第２固定板との間に配置され、前側と後側とが開放された空洞状であって単数の遊技球を収容可能な球収容部を有し、固定体に回転自在に支持される。駆動手段は、遊技球を受け入れる第１回転位置と、小径の遊技球を排出する第２回転位置と、遊技球を球発射装置へ供給する第３回転位置と、大径の遊技球を排出する第４回転位置とを球収容部が順次経由するように、回転体を所定方向に回転駆動する。大球排出手段は、第４回転位置の球収容部に対応して配置される。球収容部の内周面のうち少なくとも第２回転位置及び第３回転位置において底部となる領域は、後方に向かって傾斜する。第１固定板は、第１回転位置の球収容部に対応して配置される流入孔を有する。流入孔の前側は、流下通路の球供給部と連通し、流入孔の後側は、第１回転位置の球収容部の前側と連通する。流下通路の球供給部の遊技球は、流入孔と球収容部とが連通したときに流入孔を挿通して球収容部に収容される。第２固定板は、第２回転位置の球収容部に対応して配置される小球排出孔と、第３回転位置の球収容部に対応して配置される流出孔とを有する。小球排出孔の前側は、第２回転位置の球収容部の後側と連通する。流出孔の前側は、第３回転位置の球収容部の後側と連通し、流出孔の後側は、球発射装置と連通する。小球排出孔は、球収容部と連通したときに、球収容部に収容された遊技球のうち基準最小径以下の遊技球の挿通を許容し、且つ基準最小径を超える遊技球の挿通を阻止する大きさに設定される。流出孔は、球収容部と連通したときに、球収容部に収容された遊技球のうち基準最小径よりも大きい基準最大径以下の遊技球の挿通を許容し、且つ基準最大径を超える遊技球の挿通を阻止する大きさに設定されるとともに、挿通した遊技球を球発射装置へ供給する。第１固定板及び第２固定板は、少なくとも第１回転位置から第２回転位置への移動途中と第２回転位置から第３回転位置への移動途中とにおいて、球収容部に収容された遊技球の前方及び後方への脱落を阻止する。大球排出手段は、流出孔を挿通せずに球収容部に収容されたまま移動する遊技球を、第４回転位置の球収容部から排出する。
【００１０】
上記構成では、弾球遊技機において使用が許容される遊技球の外径（標準サイズ）は、基準最小径を超え且つ基準最大径以下の範囲に制限される。例えば、基準最小径は、基準径よりも所定長小径に設定され、基準最大径は、基準径よりも所定長大径に設定される。
【００１１】
回転体の球収容部は、駆動手段が回転体を所定方向へ回転することによって、第１回転位置と第２回転位置と第３回転位置と第４回転位置とを順次経由して、第１回転位置へ戻る。
【００１２】
回転体の球収容部が第１回転位置に到達すると、球受皿から球供給部へ流下した遊技球は、第１固定板の流入孔を介して球収容部に収容される。遊技球を収容した球収容部は、第２回転位置へ移動し、第２回転位置に到達したときに第２固定板の小球排出孔と連通する。
【００１３】
標準サイズ（基準最小径を超え且つ基準最大径以下）の遊技球が使用された場合、球収容部が第２回転位置に到達して小球排出孔と連通しても、遊技球は小球排出孔を挿通せず、球収容部は、遊技球を収容したまま第２回転位置を通過して第３回転位置へ移動し、第３回転位置に到達したときに第２固定板の流出孔と連通する。球収容部と流出孔とが連通すると、遊技球は、球収容部の底部の傾斜によって後方へ流下し、第２固定板の流出孔を挿通して球発射装置へ供給される。
【００１４】
標準サイズよりも小さい（基準最小径以下の）小径の遊技球が使用された場合、球収容部が第２回転位置に到達して小球排出孔と連通すると、遊技球は、球収容部の底部の傾斜によって後方へ流下し、小球排出孔を挿通して球収容部から排出される。
【００１５】
標準サイズよりも大きい（基準最大径を超える）大径の遊技球が使用された場合、球収容部が第２回転位置に到達して小球排出孔と連通しても、遊技球は小球排出孔を挿通せず、さらに、球収容部が第３回転位置に到達して流出孔と連通しても、遊技球は流出孔を挿通せず、球収容部は、遊技球を収容したまま第３回転位置を通過して第４回転位置へ移動する。球収容部が第４回転位置に到達すると、遊技球は、大球排出手段によって球収容部から排出される。
【００１６】
このように、小径の遊技球及び大径の遊技球を球発射装置に到達させずに排出することができるので、小径の遊技球及び大径の遊技球を用いた不正行為を未然に防止することができる。
【００１７】
また、標準サイズの遊技球に接着剤などによって糸状体（例えばピアノ線）の一端が接着された遊技球（糸付き遊技球）が使用されると、遊技球は、第１固定板の流入孔を介して回転体の球収容部に収容され、第２固定板の流出孔を介して球発射装置に供給される。このとき、糸状体は、流入孔から球収容部及び流出孔を経由して球発射装置へ至る遊技球の通過経路内に存在しているので、回転する回転体に巻き付く。糸状体が回転体に巻き付くと、遊技者は遊技領域に進入した糸付き遊技球を、糸状体を使って操ることができなくなるので、糸付き遊技球を用いた不正行為を未然に防止することができる。また、糸状体が回転体に一度巻き付くと、遊技者は巻き付いた糸状体を回収することができなくなるので、糸付き遊技球を用いた不正行為の証拠を確保することができる。
【００１８】
また、第１固定板は、第４回転位置の球収容部の前方を露出させる形状を有し、回転体は、板状の回転板と、回転板から前方へ突出して球収容部を区画する筒状壁とを一体的に有し、大球排出手段は、第４回転位置の球収容部に向かって第２固定板から前方へ突出する排出突起を有し、回転体の筒状壁には、球収容部が第３回転位置から第４回転位置を経由して第１回転位置へ移動する際に、排出突起の挿通及び球収容部への進入を許容する突起挿通溝が形成され、排出突起は、球収容部が第３回転位置から第４回転位置へ移動した際に、球収容部に収容された遊技球に当接して遊技球を前方へ排出してもよい。
【００１９】
上記構成では、大径の遊技球を収容する球収容部が第３回転位置から第４回転位置へ移動した際に、排出突起によって、大径の遊技球が球収容部から排出される。このように、大球排出手段を第２固定板から突出する排出突起によって構成したので、球送り装置の構造の簡素化を図ることができる。
【発明の効果】
【００２０】
本発明によれば、小径の遊技球、大径の遊技球及び糸付き遊技球を用いた不正行為を防止し、且つ糸付き遊技球を用いた不正行為の証拠を確保することができる。
【図面の簡単な説明】
【００２１】
【図１】本発明の実施の形態例に係るパチンコ機の外観斜視図である。
【図２】図１に示すパチンコ機のガラス扉を開けた状態の外観斜視図である。
【図３】本発明の実施形態に係わる球送り装置の要部分解斜視図である。
【図４】図３の球送り装置を前方から見た要部斜視図である。
【図５】図３の球送り装置を後方から見た斜視図である。
【図６】本発明の実施形態に係わる球発射装置を前方から見た斜視図である。
【図７】図１に示すパチンコ機の背面図である。
【図８】図１に示すパチンコ機の電気的構成を示すブロック図である。
【図９】流入孔が遊技球を収容した態様の図３に示す球送り装置を前方から見た要部斜視図である。
【図１０】遊技球を収容した球収容部が第２回転位置に移動した態様の図３に示す球送り装置の要部正面図である。
【図１１】遊技球を収容した球収容部が第３回転位置に移動した態様の図３に示す球送り装置を後方から見た要部斜視図である。
【図１２】遊技球を収容した球収容部が第４回転位置に移動した態様の図３に示す球送り装置を前方から見た要部斜視図である。
【図１３】糸付き遊技球を収容した球収容部が第３回転位置に移動した態様の図３に示す球送り装置の要部側面図である。
【発明を実施するための形態】
【００２２】
以下、本発明の第１の実施形態を図面を参照して説明する。なお、以下の説明において、前方は遊技者側を、後方は遊技機側を示す。また、図中ＦＲはパチンコ機の前方を、図中ＵＰはパチンコ機Ｐの上方をそれぞれ示している。左右方向はパチンコ機Ｐを前方（遊技者側）から見た左右方向に対応している。また、図２〜図４及び図９〜図１３では、球送り装置２３の駆動部９０の図示は省略している。
【００２３】
［遊技機の概略構成］
図１及び図２に示すように、本実施形態に係るパチンコ機Ｐ（弾球遊技機）は、遊技ホールの島設備に設置される縦長方形状の機枠１と、機枠１に扉状に開閉自在に取り付けられた前面枠２と、前面枠２の内側に収容された遊技盤３と、前面枠２の前面に扉状に開閉自在に取り付けられ、中央に大きく開口部８が形成されたガラス扉４と、このガラス扉４の開口部８に取り付けられた透明なガラス板１０と、前面枠２の下側に開閉自在に配設された前面ボード６と、前面ボード６に取り付けられた遊技球を収容する球受皿５と球送り装置２３とハンドル７と大径の遊技球を収容する大球収容部（図示省略）と、前面枠２内下部に設けられた球発射装置９と小径の遊技球を収容する小球収容部（図示省略）等を具備している。また、ガラス扉４の上部にはスピーカ２０が左右に１個ずつ取り付けられており、遊技に関する様々な効果音を発している。
【００２４】
［遊技機の前面側の構成］
図１及び図２に示すように、遊技盤３は、その盤面に遊技領域３１を有し、前面枠２に遊技盤３を装着すると、ガラス板１０から遊技領域３１を観察することができるようになっている。遊技領域３１は、遊技球を滑走させるガイドレール３２と遊技球規制レール３３によって略円形状となるように区画形成されており、球発射装置９によって打ち出された遊技球はこの遊技領域３１内を流下する。また、遊技領域３１内には、特別図柄表示装置１７と、演出表示装置（表示画面）３４と、スルーチャッカ２１と、普通図柄表示装置２２と、電動チューリップ４９と、ステージ３６と、始動入賞口３７と、一般入賞口３８と、アウト口３９と、遊技釘（図示省略）と、風車（図示省略）と、アタッカー装置４１が設けられている。
【００２５】
演出表示装置３４は、遊技盤３の略中央部に設けられ、始動入賞口３７に遊技球が入賞することを契機に行われた特別図柄に係る電子抽選の結果に基づいて所定の演出態様を表示するものであって、本実施形態では液晶表示装置が用いられている。この演出表示装置３４には、所定の演出態様の一部として、特別図柄表示装置１７に変動表示される特別図柄と同期をとってダミー図柄（演出図柄）が変動表示されるようになっている。
【００２６】
また、特別図柄表示装置１７は、始動入賞口３７に遊技球が入賞することを契機に行われた特別図柄に係る電子抽選の結果を表示するためのものであって、より具体的には、抽選結果を、特別図柄（数字や絵柄）を変動させた後に停止させるといった態様で表示するものである。この特別図柄表示装置１７は、本実施形態では７セグメント表示器が用いられており、演出表示装置３４を見ている遊技者の視界に同時に入らないように遊技盤３の右下部分に離れて設けられている。
【００２７】
スルーチャッカ２１は、遊技球が通過可能なゲート構造を成しており、その内部には遊技球が通過したことを検知する磁気センサタイプのスルーチャッカ検知センサ４６（図８参照）が内蔵されている。また、このスルーチャッカ２１を遊技球が通過したことを契機に行われる普通図柄に係る電子抽選の結果を表示するための普通図柄表示装置２２が、特別図柄表示装置１７の隣に設けられている。この普通図柄表示装置２２は、本実施形態では、二つのＬＥＤランプで構成されており、普通図柄当たりのときには一方のＬＥＤランプが点灯し、ハズレのときには他方のＬＥＤランプが点灯するようになっている。
【００２８】
電動チューリップ４９は、始動入賞口３７の入口に設けられ、遊技盤３の面に直交する軸を中心に回動する一対の羽根部材を備えており、ソレノイドに通電がなされると一対の羽根部材が互いに離れる方向に回動して、始動入賞口３７の入口を拡大するようになっている。ステージ３６は、演出表示装置３４の下方に配置されており、遊技球が転動しながら一時的に滞在する構造物である。このステージ３６の中央には溝が形成されており、この溝の真下の位置には始動入賞口３７が配されている。そのため、溝から落下した遊技球は、高い確率で始動入賞口３７へと導かれる。
【００２９】
アタッカー装置４１は、始動入賞口３７に遊技球が入賞することを契機に行われる特別図柄に係る電子抽選の結果、大当たりとなって大当たり遊技に移行した場合に所定回数開放される装置である。このアタッカー装置４１が開放すると、大入賞口４２が露呈し、そこに遊技球が入賞することで多くの賞球が獲得できるようになっている。また、一般入賞口３８に遊技球が入賞すると、所定個数の遊技球が賞球として遊技者に払い出される。そして、始動入賞口３７や一般入賞口３８に入らなかった遊技球は、アウト口３９から回収される。なお、始動入賞口３７、一般入賞口３８、大入賞口４２の内部にはそれぞれ遊技球の通過を検知するためのセンサ４３〜４５（図８参照）が設けられている。
【００３０】
前面ボード６には遊技球を収容するとともに、外部に排出可能な球受皿５と、球送り装置２３と、ハンドル７と、大球収容部（図示省略）と、が取り付けられている。この球受皿５は、遊技者が投入した遊技球を収容するだけでなく、球払出装置１４（図７及び図８参照）から払い出された遊技球も収容可能となっている。球払出装置１４又は球払出装置１４から球受皿５への遊技球の払出通路には、払い出した遊技球を検知するための遊技球払出センサ４７（図８参照）が設けられている。球受皿５は、後下方へ傾斜して延びる流下通路の球供給部２４を有する。球受皿５に収容された遊技球は、球供給部２４を流下し、球送り装置２３に供給される。また、前面ボード６には、球送り装置２３から排出された大径の遊技球を収容する大球収容部（図示省略）が設けられている。
【００３１】
球送り装置２３は、図３〜図５に示すように、円盤カバー（第１固定板）５０と、円盤押さえ６０と、円盤７０と、円盤台（第２固定板）８０と、大球排出部（大球排出手段）８５と、軸８６と、駆動部（駆動手段）９０（図５参照）と、を有する。
【００３２】
円盤カバー５０は、略半円板状であり、中央に固定部材（図示省略）が挿通する固定部材挿通孔５１を有する。また、円盤カバー５０は、上部に、流入孔５２を形成する略Ｕ字状の流入孔形成部５３を一体的に有する。流入孔５２の前端は、球供給部２４の後端と連通する。
【００３３】
円盤押さえ６０は、略Ｘ字状の部材であり、上下左右に後述する円盤７０の筒状壁７２の前端部が挿通する筒状壁挿通孔６１を有する。また、円盤押さえ６０は、中央に軸８６が挿通する円盤押さえ軸孔６２を有する。円盤押さえ軸孔６２を挟んで相対向する位置には、固定部材（図示省略）が挿通する固定部材挿通孔６３が設けられる。
【００３４】
円盤７０は、略円板上の回転板７１を有する。また、円盤は、回転板７１の前面の上下左右の４箇所から前方へ突出する略筒状の筒状壁７２を一体的に有する。筒状壁７２は、内部に単数の遊技球を収容する球収容部７３を区画する。球収容部７３は、前方の小径側の開口端部から後方の大径側の開口端部に向けて末広がり形状（ラッパ状）に形成される。円盤７０は、回転板７１の中央に軸８６が挿通する円盤軸孔７５を有する。円盤７０は、回転板７１の前面から前方へ突出する略筒状の２つの円盤押さえ固定部７６を、円盤軸孔７５を挟んで相対向する位置に有する。円盤押さえ固定部７６は、内部に固定部材と嵌合する嵌合孔７６ａを区画する。また、円盤７０は、図５に示すように、回転板７１の後面の中央から後方へ突出する略筒状の円盤ギヤ部７８を一体的に有する。円盤ギヤ部７８の外周面には、前後方向に延びる畝条の突起部（図示省略）が一体的に複数形成されている。円盤ギヤ部７８は、軸８６が挿通する円盤ギヤ部軸孔７８ａを内部に区画する。円盤ギヤ部軸孔７８ａの前端は、円盤軸孔７５の後端と連通する。
【００３５】
円盤台８０は、略円板状であり、中央に軸８６が挿通する円盤台軸孔８１を有し、また、外周部に３箇所のフランジ部８２を有する。各フランジ部８２は、中央に固定孔８２ａを有する。
【００３６】
軸８６は、略円筒状であり、前面ボードに固定され、前面ボード６から前方へ突出する。軸８６は、内部に固定部材（図示省略）と嵌合する嵌合孔８６ａを区画する。
【００３７】
駆動部９０は、図５に示すように、モータ（図示省略）と、モータを収容するモータ収容部９１と、モータギヤ部９２と、駆動部固定台９３と、を有する。モータ（図示省略）は、モータ本体と駆動軸とを有する。モータ収容部９１は、略円筒状で内部にモータ本体を収容する。モータギヤ部９２は、略円板状であり、モータの駆動軸に取付けられ、モータ収容部９１の前端から突出する。モータギヤ部９２の外周面には、前後方向に延びる畝条の突起部（図示省略）が一体的に複数形成され、円盤７０の円盤ギヤ部７８と連結する。駆動部固定台９３は、モータ収容部９１の後端に一体的に形成される略長方板状体であり、四方に固定部材、例えばネジが挿通する固定部材挿通孔９４が設けられる。駆動部９０は、駆動部固定台９３の固定部材挿通孔９４にネジ（図示省略）が挿通し、ネジが前面ボードに設けられたネジ孔（図示省略）と螺合すると、前面ボードに固定される。
【００３８】
円盤台８０の円盤台軸孔８１に軸８６が挿通し、円盤台８０のフランジ部８２の固定孔８２ａに固定部材、例えばネジ（図示省略）が挿通し、ネジが前面ボード６に設けられたネジ孔（図示省略）に螺合すると、円盤台８０は前面ボード６に相対回転不能に固定される。また、円盤カバー５０の固定部材挿通孔５１に固定部材（図示省略）が挿通し、軸８６の嵌合孔８６ａと嵌合すると、円盤カバー５０は軸８６に相対回転不能に固定される。以上のように、円盤カバー５０と円盤台８０と軸８６とは、固定体８７を構成する。固定体８７は、円盤カバー５０の流入孔５２の前端が球供給部２４の後端と連通するように、また、後述する円盤台８０の流出孔８４の後端が球発射装置９の球受入部２０７と連通するように球供給部２４と球発射装置９に対して固定される。
【００３９】
円盤押さえ６０は、円盤押さえ６０の筒状壁挿通孔６１に円盤の筒状壁７２が挿通し、固定部材（図示省略）が円盤押さえ６０の固定部材挿通孔６３に挿通して円盤７０の円盤押さえ固定部７６の嵌合孔７６ａと嵌合すると、円盤７０に固定される。円盤７０と円盤に固定された円盤押さえ６０とは、回転体８８を構成する。
【００４０】
回転体８８は、円盤カバー５０と円盤台８０との間において、円盤７０の円盤軸孔７５と円盤ギヤ部軸孔７８ａと円盤押さえ６０の円盤押さえ軸孔６２とに軸８６が挿通すると、固定体８７に回転自在に支持される。回転体８８は、駆動部９０のモータが駆動し、モータギヤ部９２から円盤ギヤ部７８に駆動力が伝達されると図３及び図４における時計回り方向に回転する。モータの回転は所定の間隔で回転体８８が９０度ずつ間欠的に回転するように後述する発射制御処理部１３によって制御される。回転体８８が回転することによって、回転体８８の球収容部７３は、その前端が円盤カバー５０の流入孔５２の後端と連通し、流入孔５２から遊技球を受け入れる第１回転位置と、第１回転位置から上記時計回り方向に９０度回転した第２回転位置と、第２回転位置から上記時計回り方向に９０度（第１回転位置から１８０度）回転した第３回転位置と、第３回転位置から上記時計回り方向に９０度（第１回転位置から２７０度）回転した第４回転位置を順次経由する。
【００４１】
円盤カバー５０は、上述のように略半円板状のため、回転体８８が固定体８７に回転自在に支持されると、第４回転位置の球収容部７３を露出させる。また、円盤カバー５０と円盤台８０は、回転体８８の上記第１回転位置から第２回転位置への移動途中と第２回転位置から第３回転位置への移動途中における球収容部７３の前後端を閉鎖するため、球収容部７３に収容されている遊技球の上記移動途中における前方及び後方への脱落を阻止する。
【００４２】
また、円盤台８０は、図３及び図５に示すように、上記第２回転位置の球収容部７３に対応して配置される小球排出孔８３を有する。小球排出孔８３の前端は、第２回転位置の球収容部７３の後端と連通する。小球排出孔８３の後端は、前面枠２内下部に設けられ小径の遊技球を収容する小球収容部（図示省略）と連通する。小球排出孔８３は、基準最小径、すなわち基準径よりも所定長小径以下の遊技球（小径の遊技球）の挿通を許容し、且つ基準最小径を超える遊技球の挿通を阻止する大きさに設定されている。また、円盤台８０は、上記第３回転位置の球収容部７３に対応して配置される流出孔８４を有する。流出孔８４の前端は、第３回転位置の球収容部７３の後端と連通する。流出孔８４の後端は、後述する球発射装置９の球受入部２０７に連通する。流出孔８４は、基準最大径（すなわち、基準最小径よりも大径で、且つ、基準径よりも所定長大径）以下の遊技球の挿通を許容し、基準最大径を超える遊技球（大径の遊技球）の挿通を阻止する大きさに設定されている。
【００４３】
大球排出部８５は、上記第４回転位置の球収容部７３に対応して配置され、第４回転位置の球収容部７３に向かって円盤台８０から前方へ突出する排出突起８５ａを有する。排出突起８５ａは、略四角錐台状であり、円盤台８０に一体的に形成される。
【００４４】
また、円盤７０の筒状壁７２の側壁には、球収容部７３が上記第３回転位置から第４回転位置を経由して第１回転位置へ移動する際に、排出突起８５ａの挿通及び球収容部７３への進入を許容する２つの突起挿通溝７４が相対向する位置に形成されている。突起挿通溝７４は、矩形状であり、筒状壁７２の側壁の略中央から回転板７１に向かって後方へ延びる。回転板７１の筒状壁７２間には、円周方向に延び、各筒状壁７２の突起挿通溝７４の後端と連続し、円盤台８０の排出突起８５ａの挿通を許容する回転体突起挿通溝７７が形成されている。
【００４５】
図１及び図２に説明を戻すと、遊技球を遊技領域３１に向けて発射するための球発射装置９が前面枠２内下部に取り付けられる。
【００４６】
図６に示すように、球発射装置９は、発射アーム２００、ロータリーソレノイド２０１、第１ストッパ２０２、第２ストッパ２０３、球セット部２０４及びベース板２０５から構成されている。ロータリーソレノイド２０１、第１ストッパ２０２、第２ストッパ２０３及び球セット部２０４のそれぞれはネジ（図示省略）などによってベース板２０５に固定されている。
【００４７】
発射アーム２００はベース板２０５の前面に配置されている。ロータリーソレノイド２０１は、発射アーム２００を駆動する駆動手段であり、その本体がベース板２０５の背面側に配置され、回動自在な駆動軸２０１ａがベース板２０５を貫通して前面側に突き出している。発射アーム２００は、鉛直方向に延びる長片部２００ａと長片部２００ａの上端から左下方向に折曲して延びる短片部２００ｂとを有する。長片部２００ａと短片部２００ｂとの交差部分が駆動軸２０１ａに取り付けられており、この駆動軸２０１ａを中心に発射アーム２００が揺動する。
【００４８】
発射アーム２００の揺動範囲は、第１ストッパ２０２及び第２ストッパ２０３によって規制されている。ロータリーソレノイド２０１が駆動されると発射アーム２００は図６における時計回り方向に揺動し、遊技球を叩く打撃位置に達する。第１ストッパ２０２は、発射アーム２００の上記時計回り方向の揺動範囲を規制する。また、ロータリーソレノイド２０１の駆動が停止されると発射アーム２００は自重によって反時計回り方向に揺動し、第２ストッパ２０３によって移動が規制されて準備位置に変位する。長片部２００ａの下端側は、左下方向に折曲し、折曲部分から略垂直方向に突出する略円柱形状の槌先部２００ｃが形成されている。発射アーム２００が発射位置に揺動すると槌先部２００ｃは球セット部２０４にセットされた遊技球に衝突する。これにより、遊技球は発射通路３５に向けて発射される。この発射アーム２００の１往復の動作が、１球分（１回）の発射動作となり、前面ボード６の右下に取付けられたハンドル７が操作されて球発射装置９が作動している間、周期的に行われる。
【００４９】
球セット部２０４は、それぞれベース板２０５に固定された第１部材２０４ａと第１部材２０４ｂによって構成される。第１部材２０４ａと第１部材２０４ｂは、所定の間隔を空けて対向して配置されている。第１部材２０４ａと第１部材２０４ｂは、正面から見て左側（第１部材２０４ａ側）に傾斜して配置されている。
【００５０】
第１部材２０４ｂには、第１部材２０４ａと対向する対向面に凹部２０６が形成されている。凹部２０６は、内部に球受入部２０７を区画する。球受入部２０７の前端は、球送り装置２３の流出孔８４の後端と連通し、球送り装置２３から送られる遊技球を受け入れる。凹部２０６の下方は、第１部材２０４ａと第１部材２０４ｂの隙間の間隔が狭くなっており、球受入部に流入した遊技球がその狭窄部分に着座する。この着座位置は、遊技球の発射待機位置である。発射アーム２００の槌先部２００ｃは、球セット部２０４の下方から、第１部材２０４ａと第１部材２０４ｂの隙間に進入して発射待機位置の遊技球へ達する。発射アーム２００に叩かれた遊技球は、上方に向けて発射され、球セット部２０４と連通する発射通路３５へ飛び出す。
【００５１】
球発射装置９又は球発射装置９から遊技領域３１への遊技球の発射通路３５には、発射された遊技球を検知するための球発射検知センサ４８（図８参照）が設けられている。
【００５２】
［遊技機の背面側の構成］
図７に示すように、パチンコ機（弾球遊技機）Ｐは、その背面側に、主制御処理部（遊技処理実行手段）１１と、副制御処理部を構成する演出制御処理部（表示制御手段）１２ａ、特別図柄表示制御部１２ｂ、ランプ制御処理部１２ｃ、払出制御処理部１２ｅ、および普通図柄表示制御部１２ｆと、発射制御処理部１３と、球払出装置１４等を備えている。
【００５３】
［主制御処理部］
図７に示すように、主制御処理部１１は、遊技盤３（図２参照）の裏面に支持部材等を介して設けられている。この主制御装置１１は、ＣＰＵ（Central Processing Unit）と、予め定められた制御プログラムを格納するＲＯＭ（Read Only Memory）と、生成された処理情報の一時記憶及び記憶した情報の削除を行うＲＡＭ（Random Access Memory）等とにより構成されている。このＣＰＵがＲＯＭに格納された各種プログラムやデータを読み込んで実行することにより、遊技に関する主要な処理（遊技処理）が行われる。
【００５４】
具体的には、図８に示すように、始動入賞口３７に遊技球が入賞したことを契機に特別図柄に係る電子抽選を行う特別図柄抽選部１１０と、この特別図柄抽選部１１０が判定した抽選結果に応じて特別図柄を決定する特別図柄決定部１２０と、遊技コマンドである変動パターンコマンドを決定するための変動パターンコマンド決定部１４０と、特別図柄抽選部１１０による抽選結果の判定が大当たりとなった場合にアタッカー装置４１のソレノイドを作動させて大当たり遊技に移行する大当たり遊技制御部１６０と、スルーチャッカ２１を遊技球が通過したことを契機に普通図柄に係る電子抽選を行う普通図柄抽選部１７０と、電動チューリップ４９の作動を制御する電動チューリップ作動制御部１８０と、を備えて主制御処理部１１は構成されている。
【００５５】
特別図柄抽選部１１０は、周期的（例えば２ミリ秒毎）に入力される割り込み信号に基づいてループカウンタの値を所定の範囲で１ずつ更新させることによりソフトウェア乱数を生成する特別図柄用乱数発生部１１１と、始動入賞口３７に遊技球が入賞したことを契機に（始動入賞口検知センサ４３からの検知信号が主制御処理部１１に入力されたタイミングで）乱数を１つ取得（ラッチ）する特別図柄用乱数取得部１１２と、この特別図柄用乱数取得部１１２が取得した乱数が大当たりであるか否かを特別図柄判定テーブル１１４を参照して決定する特別図柄当否判定部１１３と、を備えている。
【００５６】
変動パターンコマンド決定部１４０は、演出態様を決定するためのコマンドである変動パターンコマンドの決定に用いられる変動パターン用乱数の抽選処理を行う変動パターン用乱数抽選部１３０と、変動パターン用乱数と変動パターンコマンドのパターンＮｏ．（Ｎｏ．１〜Ｎｏ．１２７の１２７種に設定されている）とが対応づけられたテーブルが記憶されたコマンド参照テーブル１３５と、を備えている。変動パターンコマンド決定部１４０は変動パターンＮｏ．１〜１２７の中から変動パターン用乱数に基づいて１つのパターンを選択して、そのパターンを変動パターンコマンドとして演出制御処理部１２ａに送信している。
【００５７】
大当たり遊技制御部１６０は、大当たりの種類に応じて所定のラウンド数だけアタッカー装置４１の開閉を行うように制御している。また、普通図柄抽選部１７０は、特別図柄用乱数発生手段１１１が発生させる乱数の数より少ないが同様の構成からなる普通図柄用乱数発生部と、スルーチャッカ２１を遊技球が通過したことを契機に（スルーチャッカ検知センサ４６からの検知信号が主制御処理部１１に入力されたタイミングで）乱数を１つ取得（ラッチ）する普通図柄用乱数取得部と、この普通図柄用乱数取得部が取得した乱数が普通図柄当たりであるか否かを普通図柄判定テーブルを参照して決定する普通図柄当否判定部と、を備えている。また、電動チューリップ作動制御部１８０は、普通図柄抽選部１７０による電子抽選で普通図柄当たりに当選したコマンドに基づいて、電動チューリップ４９のソレノイドに通電して開閉するよう制御している。
【００５８】
［副制御処理部］
続いて、主制御処理部１１からの指令（コマンド）を受けて各種装置を制御する副制御処理部について説明する。副制御処理部を構成する演出制御処理部１２ａ、特別図柄表示制御部１２ｂ、ランプ制御処理部１２ｃ、払出制御処理部１２ｅ、および普通図柄表示制御部１２ｆは、遊技盤３の裏面に支持部材等を介して設けられており、主制御処理部１１が生成した処理情報に従って、演出表示装置３４やスピーカ２０などの制御を行っている。副制御処理部も、主制御装置１１と同様に、ＣＰＵと、予め定められた制御プログラムを格納するＲＯＭと、生成された処理情報の一時記憶及び記憶した情報の削除を行うＲＡＭ等とにより構成され、ＣＰＵがＲＯＭに格納された各種プログラムやデータを読み込んで実行することにより、所定の処理が行われる。
【００５９】
演出制御処理部１２ａは、変動パターンコマンド決定部１４０から受けた変動パターンコマンドに応じて、遊技に用いる演出を決定し、決定した演出態様を演出表示装置３４に表示するよう制御する。演出制御処理部１２ａが制御する演出態様は、大当たり遊技状態において、最終ラウンドのアタッカー装置４１の閉止後に実行されるエンディング演出を含む。演出制御処理部１２ａは、大当たり遊技制御部１６０から大当たり遊技状態終了コマンドを受信することによって、エンディング演出を終了させる。
【００６０】
特別図柄表示制御部１２ｂは、主制御処理部１１の特別図柄決定部１２０が決定した特別図柄のコマンドと、変動パターンコマンド決定部１４０が決定した変動パターンコマンドに基づき、特別図柄表示装置１７に特別図柄を所定の時間だけ変動させた後に停止させる態様で特別図柄決定部１２０が決定した特別図柄を表示する。一方、普通図柄表示制御部１２ｆは、普通図柄抽選部１７０による普通図柄に係る抽選結果のコマンドを受け、そのコマンドに基づいて普通図柄表示装置２２に普通図柄を変動させた後に停止させる態様で表示するよう制御している。なお、普通図柄表示制御部１２ｆは、上記した特別図柄表示制御部１２ｂによる表示制御と比べて表示する図柄の対象が相違するものの、表示制御の基本構成はほぼ同じである。また、ランプ制御処理部１２ｃは、主制御処理部１１からコマンドを受けて各種ランプや電飾の点灯制御を行うものである。
【００６１】
払出制御処理部１２ｅは、ＣＲユニット（図示省略）からの信号を受けて遊技球を遊技者に貸し出すように球払出装置１４を制御する他、主制御処理部１１からの払出指令を受けて、所定個数の賞球を遊技者に対して払い出すように球払出装置１４を制御する。この球払出装置１４は、遊技球を１個ずつ保持する切欠きが形成されたスプロケット（図示省略）と、このスプロケットを回転させるモータ（図示省略）とを備えて構成されている。そして、モータの回転を制御することにより、必要な数だけ賞球を払い出すことができるようになっている。具体的には、始動入賞口検知センサ４３、一般入賞口検知センサ４４、大入賞口検知センサ４５等が遊技球の通過を検知したら、球払出装置１４は主制御処理部１１を経由して受けたコマンドに基づき遊技球を払い出す。
【００６２】
発射制御処理部１３は、球発射装置９と球送り装置２３を制御する。ハンドル７には、打出し用ボリューム７ａが設けられており、ハンドル７の回転操作に応じて打出し用ボリューム７ａから回転信号が発射制御処理部１３に送信される。発射制御処理部１３は、回転信号を受信すると発射制御を開始する。発射制御において、発射制御処理部１３は、回転信号に応じてロータリーソレノイドに給電を行うとともに、打出し用ボリュームの回転量に応じた打出し強さとなるようにロータリーソレノイドの駆動を制御する。発射制御処理部１３は、ハンドル７が遊技者によって操作されている間は、毎分所定量、例えば、１００球の遊技球を発射するように球発射装置９を制御する。
【００６３】
また、発射制御処理部１３は、上記発射制御に同期させて、球送り制御を開始する。球送り制御において、発射制御処理部１３は、球送り装置２３に給電を行うとともに、球送り装置２３の駆動部９０のモータの回転を、所定の間隔で回転体８８が９０度ずつ間欠的に回転するように制御する。これによって、遊技球は、回転体８８の球収容部７３から球発射装置９の球受入部に流入し、球発射装置９の発射アーム２００が発射位置に到達する前に、球セット部２０４の狭窄部分に装填される。
【００６４】
次に、本実施形態の作用について説明する。
【００６５】
遊技者によって、球受皿５に遊技球が収容されると、図２に示すように遊技球は流下通路の球供給部２４を流下し、また、図９に示すように球送り装置２３の流入孔５２に流入する。流入孔５２に流入した遊技球は、第１回転位置の球収容部７３に収容される。
【００６６】
遊技者によって、ハンドル７が回転操作されると、打出し用ボリューム７ａから回転信号が発射制御処理部１３に送信される。発射制御処理部１３は、回転信号を受信すると、発射制御を開始する。また、発射制御処理部１３は、発射制御に同期させて、球送り制御を開始する。球送り制御において、発射制御処理部１３は、球送り装置２３に給電し、球送り装置２３の駆動部９０のモータの回転を、所定の間隔で回転体８８が９０度ずつ間欠的に回転させるように制御する。これによって、第１回転位置で遊技球を収容した球収容部７３は、図１０に示すように、第２回転位置に回転移動する。なお、図１０は、球送り装置２３の円盤カバー５０の図示を省略している。
【００６７】
第２回転位置の球収容部７３に収容されている遊技球は、球収容部７３が前方の小径側の開口端部から後方の大径側の開口端部に向けて末広がり形状（ラッパ状）になっているため、第２回転位置の球収容部７３の後端側に移動する。第２の回転位置の球収容部７３の後端は、小球排出孔８３の前端と連通しており、小球排出孔８３は、基準最小径以下の遊技球の挿通を許容し、且つ基準最小径を超える遊技球の挿通を阻止する大きさに設定されているため、第２回転位置の球収容部７３の後端側に移動した遊技球が、基準最小径以下の小径の遊技球、すなわち小径の遊技球である場合は、この小径の遊技球は、小球排出孔８３を挿通し、球送り装置２３の後方に排出され、小球収容部（図示省略）に収容される。一方、上記遊技球が、基準最小径を超える遊技球である場合は、この遊技球は、第２回転位置の球収容部７３に留まる。
【００６８】
所定時間が経過すると、発射制御処理部１３の球送り制御によって、第２回転位置の球収容部７３は、第３回転位置に移動する。第３回転位置の球収容部７３に収容されている遊技球は、球収容部７３が前方の小径側の開口端部から後方の大径側の開口端部に向けて末広がり形状（ラッパ状）になっているため、第３回転位置の球収容部７３の後端側に移動する。第３の回転位置の球収容部７３の後端は、流出孔８４の前端と連通しており、流出孔８４は、球収容部７３に収容された遊技球のうち基準最大径以下の遊技球の挿通を許容し、且つ基準最大径を超える遊技球の挿通を阻止する大きさに設定されているため、基準最小径を超え、基準最大径以下の遊技球、すなわち標準サイズの遊技球は、図１１に示すように流出孔８４を挿通する。流出孔８４を挿通した遊技球は、球発射装置９の球セット部２０４の凹部２０６の球受入部２０７に流入する。球受入部２０７に流入した遊技球は、図６に示すように、凹部２０６の下方の第１部材と第２部材の隙間の狭窄部分、すなわち遊技球の発射待機位置に保持される。発射制御処理部１３は、発射制御において、受信した回転信号に応じてロータリーソレノイドに給電を行うとともに、打出し用ボリュームの回転量に応じた打出し強さとなるようにロータリーソレノイドを駆動させ、発射アーム２００を発射位置へ揺動させる。揺動する発射アーム２００の槌先部２００ｃは、球セット部２０４の下方から、第１部材と第２部材の隙間に進入して発射待機位置の遊技球へ達する。発射アーム２００に叩かれた遊技球は、上方に向けて発射され、球セット部２０４と連通する発射通路３５へ飛び出し、遊技盤３の遊技領域３１に進入する。一方、流出孔８４に挿通を阻止された基準最大径を超える遊技球、すなわち大径の遊技球は、第３回転位置の球収容部７３に留まる。
【００６９】
さらに所定時間が経過すると、発射制御処理部１３の球送り制御によって、第３回転位置の球収容部７３は、第４回転位置に移動する。この移動の際に、円盤台８０から前方へ突出する排出突起８５ａが球収容部７３を区画する筒状壁７２の側壁に設けられた突起挿通溝７４を挿通し、球収容部７３に進入する。これによって、第３回転位置に留まっている大径の遊技球は、図１２に示すように、球送り装置２３の前方に排出され、大球収容部（図示省略）に収容される。
【００７０】
さらに所定時間が経過すると、発射制御処理部１３の球送り制御によって、第４回転位置の球収容部７３は、第１回転位置に移動する。第１回転位置において、球収容部７３の前端は、流入孔５２の後端と連通し、球供給部２４を流下して流入孔５２に流入した遊技球を収容する。
【００７１】
ここで、標準サイズの遊技球に接着剤などによって、糸状体（例えばピアノ線）の一端が接着された糸付き遊技球を、遊技者が球受皿５に収容した場合の本実施形態の作用について説明する。
【００７２】
遊技者が糸状体の他端を把持しつつ、糸付き遊技球を球受皿５に収容すると、糸付き遊技球は、球供給部２４を流下し、第１回転位置の球収容部７３に収容される。糸付き遊技球を収容する球収容部７３が第３回転位置に移動すると、糸付き遊技球は、図１３に示すように流出孔８４を挿通する。流出孔８４を挿通した糸付き遊技球は、球発射装置９の球受入部２０７に流入し、球受入部２０７に流入した糸付き遊技球は発射待機位置に保持され、発射待機位置で発射アーム２００によって、上方に向けて発射され、球セット部２０４と連通する発射通路３５へ飛び出し、遊技盤３の遊技領域３１に進入する。糸付き遊技球が流出孔８４を挿通した後、第３の回転位置の球収容部７３が第４の回転位置、そして、第１の回転位置へ回転し、その後も回転を続けると、糸付き遊技球の糸状体は、流入孔８４から球収容部７３及び流出孔８４を経由して球発射装置９へ至る遊技球の通過経路内に存在しているので、回転する回転体８８に巻き付く。糸状体が回転体８８に巻き付くと、遊技者が把持している糸状体の他端を操作しても、遊技盤３の遊技領域３１に進入した糸付き遊技球を操作することができなくなる。また、糸状体が回転体８８に巻き付いているため、遊技球から糸状体が外れた場合であっても、遊技者は糸状体を回収することができなくなる。
【００７３】
本実施形態によれば、球送り装置２３は、小径の遊技球を球発射装置９に到達させずに小球排出孔８３から排出させるので、小径の遊技球の遊技領域３１への到達を未然に防ぎ、小径の遊技球を用いた不正行為を防止することができる。
【００７４】
また、球送り装置２３は、大径の遊技球を球発射装置９に到達させずに排出突起８５ａによって排出させるので、大径の遊技球の遊技領域３１への到達を未然に防ぎ、大径の遊技球を用いた不正行為を防止することができる。また、大径の遊技球を排出するために複雑な機構を設ける必要がないので、球送り装置の構造の簡素化を図ることができる。
【００７５】
また、球送り装置２３は、遊技盤３の遊技領域３１に進入した糸付き遊技球の遊技者による操作を阻止するので、糸付き遊技球を用いた不正行為を防止することができる。また、遊技者による糸付き遊技球の糸状体の回収を阻止するので、糸付き遊技球による不正行為があった証拠を確保することができる。
【００７６】
以上、本発明者によってなされた発明を適用した実施形態について説明したが、この実施形態による本発明の開示の一部をなす論述及び図面により本発明は限定されることはない。
【００７７】
例えば、円盤台８０は、排出突起８５ａに代えて上記第４回転位置に対応して配置される大球排出孔（図示省略）を有してもよい。大球排出孔の前端は、第４回転位置の球収容部７３の後端と連通し、大球排出孔の後端は、前面枠２内下部に設けられ大径の遊技球を収容する大球収容部（図示省略）の前端と連通する。大球排出孔は、基準最大経を超える遊技球の挿通を許容する大きさに設定されている。また、円盤台８０の背面と駆動部９０のモータギヤ部９２との距離は、その間に、大球排出孔の後端と大球収容部の前端との連通部分を設けることができる距離に設定されている。この場合、球収容部７３が第４回転位置に移動すると、第４回転位置の球収容部７３に収容されている大径の遊技球は、球収容部７３が前方の小径側の開口端部から後方の大径側の開口端部に向けて末広がり形状（ラッパ状）になっているため、第４回転位置の球収容部７３の後端側に移動し、大球排出孔を挿通する。大球排出孔を挿通した大径の遊技球は、大球収容部に収容される。
【００７８】
また、弾球遊技機Ｐは、第４回転位置の球収容部の後端を露出させる略半円板状の円盤台８０と、略円板状の円盤押さえ６０と、第４回転位置の球収容部７３に対応して配置され、円盤押さえ６０から後方へ突出する排出突起を有する大球排出部（図示省略）と、を有してもよい。円盤台８０の背面と駆動部９０のモータギヤ部９２との距離は、排出された大径の遊技球がその間を挿通できる距離に設定される。この場合、発射制御処理部１３の球送り制御によって、第３回転位置の球収容部が第４回転位置に移動すると、円盤押さえ６０から後方へ突出する排出突起が球収容部を区画する筒状壁７２の側壁に設けられた突起挿通溝７４を挿通し、球収容部７３に進入し、第３回転位置に留まっている大径の遊技球を球送り装置２３の後方に排出する。排出された大径の遊技球は円盤台８０の背面と駆動部９０のモータギヤ部９２との間を挿通し、前面枠２内下部に設けられ大径の遊技球を収容する大球収容部（図示省略）に収容される。
【００７９】
すなわち、この実施形態に基づいて当業者等によりなされる他の実施形態、実施例及び運用技術等は全て本発明の範疇に含まれることは勿論であることを付け加えておく。
【符号の説明】
【００８０】
３…遊技盤、７…ハンドル、９…球発射装置、１１…主制御処理部（遊技処理実行手段）、１２ａ…演出制御処理部、１３…発射制御処理部、２３…球送り装置、５０…円盤カバー（第１固定板）、５２…流入孔、６０…円盤押さえ、７０…円盤、７２…筒状壁、７３…球収容部、７４…突起挿通溝、８０…円盤台（第２固定板）、８３…小球排出孔、８４…流出孔、８５…大球排出部（大球排出手段）、８５ａ…排出突起、８６…軸、８７…固定体、８８…回転体、９０…駆動部（駆動手段）、P…パチンコ機（弾球遊技機）
【図１】
0005678336.tif 000002
【図２】
0005678336.tif 000003
【図３】
0005678336.tif 000004
【図４】
0005678336.tif 000005
【図５】
0005678336.tif 000006
【図６】
0005678336.tif 000007
【図７】
0005678336.tif 000008
【図８】
0005678336.tif 000009
【図９】
0005678336.tif 000010
【図１０】
0005678336.tif 000011
【図１１】
0005678336.tif 000012
【図１２】
0005678336.tif 000013
【図１３】
0005678336.tif 000014